(57)【特許請求の範囲】
【請求項１】
少なくとも第１ケース部材と第２ケース部材とによって基板を収容する基板ケースを備える遊技機において、
前記基板は、
当該基板に対して挿抜可能に装着される所定の電子部品と、
当該基板における前記電子部品の装着される側の装着面と前記電子部品とに跨って貼付されるシール部材と、を備えるとともに、前記第１ケース部材に取り付けられ、
前記第１ケース部材は、
前記基板の当該第１ケース部材からの取り外しに基づいて、前記電子部品を前記基板から脱抜させる部品脱抜部と、
前記基板の外周縁を囲む外側壁の内側に設けられ、少なくとも前記電子部品を囲む包囲壁部と、を備え、
前記包囲壁部は、
当該包囲壁部の前記装着面側に位置する先端部において、前記電子部品の配置側を内側としたときに外側に向けて延出形成されるフランジ部を備え、
前記フランジ部は、
前記装着面に貼付されたシール部材におけるシール表面と、前記シール表面にほぼ直交するシール側面と、にそれぞれ対向する面を有するシール押え部を備えるとともに、前記装着面に近接又は接触し、
前記電子部品の前記基板からの脱抜に基づいて、前記シール部材の少なくとも一部が破断又は剥離される
ことを特徴とする遊技機。
【発明の詳細な説明】
【技術分野】
【０００１】
本発明は、二つのケース部材によって基板を収容する基板ケースを備える遊技機に関する。
【背景技術】
【０００２】
パチンコ機やスロットマシンなどの遊技機は、所定の電子部品の装着された基板を備えており、このような基板は基板ケースなどのケース部材に収容されている。
また、電子部品等に不正改造を行う目的で基板ケースを開封する行為を防止する遊技機が提案されている（例えば、特許文献１）。
【先行技術文献】
【特許文献】
【０００３】
【特許文献１】特開平９−１７３５９８号公報
【発明の概要】
【発明が解決しようとする課題】
【０００４】
ところが、このような従来の遊技機には、改善の余地があった。
【課題を解決するための手段】
【０００５】
上記課題を達成するため、本発明の遊技機は、  少なくとも第１ケース部材と第２ケース部材とによって基板を収容する基板ケースを備える遊技機において、前記基板は、当該基板に対して挿抜可能に装着される所定の電子部品と、当該基板における前記電子部品の装着される側の装着面と前記電子部品とに跨って貼付されるシール部材と、を備えるとともに、前記第１ケース部材に取り付けられ、前記第１ケース部材は、前記基板の当該第１ケース部材からの取り外しに基づいて、前記電子部品を前記基板から脱抜させる部品脱抜部と、前記基板の外周縁を囲む外側壁の内側に設けられ、少なくとも前記電子部品を囲む包囲壁部と、を備え、前記包囲壁部は、当該包囲壁部の前記装着面側に位置する先端部において、前記電子部品の配置側を内側としたときに外側に向けて延出形成されるフランジ部を備え、前記フランジ部は、前記装着面に貼付されたシール部材におけるシール表面と、前記シール表面にほぼ直交するシール側面と、にそれぞれ対向する面を有するシール押え部を備えるとともに、前記装着面に近接又は接触し、前記電子部品の前記基板からの脱抜に基づいて、前記シール部材の少なくとも一部が破断又は剥離される構成としてある。
【図面の簡単な説明】
【０００６】
【図１】遊技機の外観を示す正面図である。
【図２】遊技機の内部構成を示す斜視図である。
【図３】遊技機の制御構成を示すブロック図である。
【図４】主基板ユニットの全体斜視図である。
【図５】主制御基板を模式的に示す図であり、（ａ）は正面図、（ｂ）はＡ−Ａ断面図である。
【図６】上ケース部材を模式的に示す図であり、（ａ）は平面図、（ｂ）はＡ−Ａ断面矢視図、（ｃ）はＢ−Ｂ断面矢視図である。
【図７】主制御基板を上ケース部材に取り付けた状態を模式的に示す一実施形態に係る図であり、（ａ）はＢ−Ｂ断面図、（ｂ）はＡ−Ａ断面図と要部の拡大図である。
【図８】主制御基板を上ケース部材に取り付けた状態を模式的に示す他の実施形態に係る図であり、（ａ）はＢ−Ｂ断面図、（ｂ）はＡ−Ａ断面図と要部の拡大図である。
【発明を実施するための形態】
【０００７】
本発明に係る遊技機の好ましい実施形態について、図１〜図８を参照して説明する。
【０００８】
スロットマシン１００は、遊技機の一例であり、従来のスロットマシンと同様に、複数のリール１４１ａ，１４１ｂ，１４１ｃを回転させることによって遊技媒体であるメダルを獲得することができる回胴式遊技機を構成している。
【０００９】
具体的には、スロットマシン１００は、図１、２に示すように、筐体１００ｂと、筐体１００ｂ前面側を覆う前扉１００ａとから構成されている。
前扉１００ａは、筐体１００ｂにヒンジ等を介して開閉可能に取り付けられる扉体で、この前面側には、遊技者に操作される複数の操作部などが設けられている。
【００１０】
例えば、操作部として、機内にメダルを投入するためのメダル投入口１２０が設けられ、所定数（例えば、３枚）のメダルがメダル投入口１２０から投入されることで、メダル投入口１２０と連通するメダルセレクタ１２０ｂによってメダルが検出され、ゲーム開始可能な状態となる。
【００１１】
また、押下操作可能なベットボタン１２０ａ（例えば、マックスベットボタン）が設けられ、操作に応じて内部的に記憶したクレジットメダルからデータ形式のメダルをゲームに投入することもできる。
【００１２】
また、リール１４１ａ，１４１ｂ，１４１ｃの回転を始動させるスタートレバー１３０が設けられ、ゲーム開始可能な状態において遊技者により操作されることで、スロットマシン遊技が開始され、リール１４１ａ，１４１ｂ，１４１ｃが回転を開始する。
【００１３】
また、各リール１４１に対応して停止ボタン１５０ａ，１５０ｂ，１５０ｃが設けられており、遊技者により各停止ボタン１５０が押下操作されることで、回転している各リール１４１を停止させることができる。
【００１４】
また、前扉１００ａには、操作部の他にも様々な装置が設けられ、例えば、停止状態にある各リール１４１に表された縦方向に連続する３つの図柄が視認可能な表示窓１６０、メダルが払い出されるメダル払出口１７０ｂなどが設けられている。
また、ＬＥＤなどの発光手段を備えるランプ１１０、液晶表示器などの所定の映像表示手段を備える表示器１８０、所定音を出力可能なスピーカ１９０などの遊技演出用出力部が設けられている。
【００１５】
一方、筐体１００ｂは、筐体構造を有し、スロットマシン遊技に必要な様々な機械、装置などが収納されている。
【００１６】
例えば、リール１４１ａ，１４１ｂ，１４１ｃ、各リール１４１を回転させる図示しないステッピングモータ及び回転位置を検出するセンサなどを備えるドラムユニット１４０が設けられている。
また、メダルの貯留・払い出し行うメダル払出装置１７０が設けられ、払い出されたメダルはメダル払出口１７０ｂを介して遊技者に提供される。
また、メダル払出装置１７０には、メダルを貯留するホッパー１７０ａが設けられ、メダル投入口１２０より投入されたメダルがメダルセレクタ１２０ｂを介してホッパー１７０ａに誘導される。
【００１７】
また、筐体１００ｂには、主基板ユニット１と副基板ユニット２０が設けられている。
主基板ユニット１は、スタートレバー１３０、停止ボタン１５０などの操作部からの操作信号に基づいて、ドラムユニット１４０、メダル払出装置１７０などの各装置を制御する主制御基板４（図３参照）を基板ケースに収容したものからなる。
主制御基板４は、ＣＰＵなどを備えるコンピュータとして構成され、以下のようなスロットマシン遊技の進行に関する制御を行う。
具体的には、主制御基板４は、ゲーム開始可能な状態において、スタートレバー１３０に対する操作を検知すると、各リール１４１の回転を開始させる。
また、これと同時に、再遊技役、小役、ボーナスなどの当選役を抽選により決定する内部抽選処理を実行し、各リール１４１の回転中において、各停止ボタン１５０に対する押下操作を検知すると、抽選結果に対応した図柄の組合せで停止するよう、回転している各リール１４１の停止制御を行う。
また、停止した各リール１４１に表された縦方向に連続する３つの図柄の組合せを判定し、小役に対応する図柄の組合せでの停止を判定したときには、所定数のメダルを払い出すようにメダル払出装置１７０を制御するなどのスロットマシン遊技の進行に関する制御を行う。
【００１８】
副基板ユニット５は、副制御基板５１（図３参照）を基板ケースに収容したものからなる。
副制御基板５１は、主制御基板４と同様にＣＰＵなどを備えるコンピュータとして構成され、スロットマシン遊技に同期した遊技演出を実行する。
具体的には、副制御基板５１は、主制御基板４から送信される制御コマンドに基づいてランプ１１０、表示器１８０、スピーカ１９０などの演出用出力部を制御して、例えば、主制御基板４からボーナス遊技開始を示す制御コマンドを受信すると、ランプ１１０を所定の態様で発光させ、表示器１８０に所定の映像を表示させる。さらに、所定のファンファーレ音をスピーカ１９０から出力させるなどのスロットマシン遊技に同期した遊技演出を実行する。
【００１９】
スロットマシン１００は、このような一般的なスロットマシンが備える構成に加え、主基板ユニット１、副基板ユニット５などの基板を備える基板ユニットが以下に示す特徴的な構成を備えている。以下の説明では、特徴的な構成を主基板ユニット１に適用した場合について説明する。
【００２０】
［主基板ユニット］
主基板ユニット１は、図４〜８に示すように、上ケース部材２、下ケース部材３、主制御基板４などの複数の部材から構成されている。
【００２１】
主制御基板４は、プリント基板４１とこれに装着される電子部品とで構成されている。
プリント基板４１は、電子部品が装着され、装着面として機能する部品装着面４１ａと、これらの部品の端子部を半田接合する半田面４１ｂと、を有している。
部品装着面４１ａには、ＣＰＵ（中央演算処理装置）、ＲＯＭ及びＲＡＭなどの記憶手段がワンチップ化されたチップ部品４２（例えば、ワンチップマイコン）、Ｉ／ＯインターフェイスなどのＩＣ部品、抵抗、コンデンサ、トランジスタなどの様々な電子部品が装着されている。
【００２２】
このチップ部品４２は、図４に示すように、ソケット４３に挿抜可能に装着されるピン挿入タイプのパッケージを有し、例えば、ＤＩＰ（Ｄｕａｌ  Ｉｎｌｉｎｅ  Ｐａｃｋａｇｅ）タイプの電子部品である。
なお、本実施形態のチップ部品４２は、正面視略長方形に形成されており、以下の説明において、図４〜６に示すように、チップ部品４２の短手方向をＡ−Ａ方向、チップ部品４２の長手方向をＢ−Ｂ方向という。
【００２３】
ソケット４３は、プリント基板４１に半田接合されており、チップ部品４２に設けられるピン状の端子部と導通可能なコンタクト部を備える。
このようなチップ部品４２とソケット４３の構成により、端子部のコンタクト部への押し込み操作により、チップ部品４２をソケット４３に装着することができ、チップ部品４２を所定の器具等（例えば、ＲＯＭ抜きなど）で挟んで上方に引き抜くことで、ソケット４３からチップ部品４２を脱抜することができる。
【００２４】
また、チップ部品４２には、その脱抜の痕跡を残すために、図４に示すように、封印シール４４が貼付されている。
封印シール４４は、シール部材の一例であり、チップ部品４２と部品装着面４１ａとに跨って貼付され、その剥離により、例えば、「開封」の文字がチップ部品４２の表面や部品装着面４１ａに転写されるように構成されている。
これにより、チップ部品４２の脱抜には封印シール４４の剥離が伴うことから、「開封」文字の転写を脱抜の痕跡とすることができる。
【００２５】
また、封印シール４４を剥離させずに、チップ部品４２を無理に脱抜したときのために、封印シール４４は、チップ部品４２に貼付された部分と部品装着面４１ａに貼付された部分とに封印シール４４がそれぞれ分断されるように構成されている。例えば、チップ部品４２に貼付された部分と部品装着面４１ａに貼付された部分の間にミシン目や薄肉部などの脆弱部を設けてある。
これにより、チップ部品４２や部品装着面４１ａに残存する封印シール４４の分断部分を、封印シール４４を剥がさずに、チップ部品４２を無理に脱抜した痕跡とすることができる。
【００２６】
また、封印シール４４は、図５（ａ）に示すように、有色又は無色透明な透明領域４４１（点線領域内）を有している。
この透明領域４４１は、チップ部品４２の表面に表される当該チップ部品に関する情報４２１（例えば、型式「ＡＢＣ」）に重なるように設けられている。これにより、チップ部品４２に封印シール４４が貼付されていても、情報４２１（例えば、型式「ＡＢＣ」）をすべて視認可能とすることができる。
【００２７】
また、部品装着面４１ａには、図５（ａ）に示すように、封印シール４４の貼付領域を指定するガイド部４１１が設けられている。
ガイド部４１１は、例えば、貼付領域の外縁に沿ってプリント基板４１に印刷された図形（例えば、コの字）とすることができる。このようなガイド部４１１を設けることにより、封印シール４４を確実にチップ部品４２と部品装着面４１ａとに跨って貼付することができる。
以上のように構成された主制御基板４は、例えば、プリント基板４１の四隅に穿設されたネジ孔４０を介して上ケース部材２に取り付けられ（図７参照）、上ケース部材２と下ケース部材３の間に収容される（図４参照）。
【００２８】
上ケース部材２と下ケース部材３は、共に矩形状のケース構造を有し、容易に破壊できないように、無色透明な合成樹脂（例えば、ポリカーボネート）で形成されている。
【００２９】
上ケース部材２は、第１ケース部材の一例であり、部品装着面４１ａ側を被覆可能、下ケース部材３は、第２ケース部材の一例であり、半田面４１ｂ側を被覆可能に構成され、これらのケース部材２，３によって一の基板ケースが形成されることになる。
【００３０】
また、下ケース部材３は、これらのケース部材２，３を開閉可能に軸支するヒンジ３０ａを備え、このヒンジ３０ａは、上ケース部材２と下ケース部材３とを閉じたケース閉状態において、ヒンジ３０ａ側からこれらのケース部材を開放することができないように構成してある。
【００３１】
また、主基板ユニット１は、ヒンジ３０ａの設けられた一辺に対向する対辺側において、上ケース部材２と下ケース部材３とを開閉不能に封止する封止部２１，３１を備えている（図４参照）。
封止部２１，３１は、図示しないネジやピン等が封止部２１，３１それぞれに挿抜不能に係止されることにより、上ケース部材２と下ケース部材３とを開閉不能にロックするロック手段となっている。
【００３２】
このような主基板ユニット１は、開閉不能にロックされた状態において、下ケース部材３側が筐体１００ｂ奥に面するとともに、上ケース部材２側が筐体１００ｂの正面側開口を向くように、すなわち、部品装着面４１ａが正面から見えるよう、筐体１００ｂ内に配置されている（図２参照）。
【００３３】
[包囲壁部]
上ケース部材２は、図４，６に示すように、チップ部品４２を囲む包囲壁部２２を備えている。
包囲壁部２２は、プリント基板４１の外周縁を囲む外側壁２ｂの内側に設けられるとともに、上ケース部材２の部品装着面４１ａに対向する対向面２ａから部品装着面４１ａに向かって延設され、少なくともチップ部品４２を四方から囲む。つまり、チップ部品４２は、外側壁２ｂと包囲壁部２２の二つの壁部により二重に囲まれることになる。
包囲壁部２２は、正面視略長方形に形成されたチップ部品４２の二つの短辺に対向する短辺側壁部２２１と、チップ部品４２の二つの長辺に対向する長辺側壁部２２２とを有し、チップ部品４２を四方から囲む矩形状の壁部として構成されている。
【００３４】
図５に示す点線４１２は、包囲壁部２２が囲む包囲領域を示しており、チップ部品４２のみならず封印シール４４を四方から囲むように構成されている。
【００３５】
また、図７に示すように、包囲壁部２２の部品装着面４１ａ側の先端部は、主制御基板４を上ケース部材２に取り付けた状態において、部品装着面４１ａに近接又は接触（好ましくは接触）している。これにより、包囲壁部２２の先端部と部品装着面４１ａとの間の隙間からの不正器具の挿入、チップ部品４２に対する不正アクセスを阻止することができる。また、チップ部品４２のみならず封印シール４４も包囲壁部２２に囲まれることから、封印シール４４を不正に剥離させる行為も阻止することができる。
なお、包囲壁部２２のチップ部品４２が配置されている内側と外側とは、包囲壁部２２により遮断されることが好ましいが、チップ部品４２の放熱を促進させるために、内側と外側との空気を流通させる孔等を包囲壁部２２に設けることもできる。
【００３６】
また、包囲壁部２２の他の実施形態として、図８に示すように、包囲壁部２２の部品装着面側４１ａに位置する先端部において、チップ部品４２の配置側を内側としたときに外側に向けて延出形成されるフランジ部２２４を設けることもできる。
このフランジ部２２４は、部品装着面４１ａに沿って延出形成されるとともに、主制御基板４を上ケース部材２に取り付けた状態において、部品装着面４１ａに近接又は接触することが好ましく、さらには、接触することが好ましい。
そして、このようなフランジ部２２４を設けたときには、封印シール４４の貼付領域がフランジ部２２４の範囲内にすべて収まることが好ましい。
【００３７】
また、図８（ｂ）に示すように、フランジ部２２４にシール押え部２２３を設けることもできる。
シール押え部２２３は、封印シール４４の厚み分対向面２ａ側に後退させた凹形状を有するとともに、封印シール４４のシール表面と対向する面２２３ａと、シール表面とほぼ直交するシール側面と対向する面２２３ｂ（３面あり）を有することが好ましい。さらには、各面２２３ａ，２２３ｂは、封印シール４４に接触することが好ましい。
特に、面２２３ａと部品装着面４１ａとで、封印シール４４を挟持するように接触することが好ましい。
これにより、上ケース２の対向面２ｂに穿設させ、そこから棒材等を挿入してチップ部品４２を不正に脱抜させようとしても、封印シール４４が挟持されていることにより、チップ部品４２の脱抜が阻害され、チップ部品４２を保護することができる。
なお、シール押え部２２３は、封印シール４４の厚みが所定の厚み（例えば、０．５ｍｍ）以上のときには、封印シール４４の厚み分対向面２ａ側に後退させた凹形状とすることが好ましいが、封印シール４４の厚みが所定の厚み（例えば、０．５ｍｍ）未満のときには、封印シール４４の厚み分対向面２ａ側に後退させることなく、フラットな面とすることが好ましい。
【００３８】
また、図７（ｂ）に示す例では、封印シール４４は包囲壁部２２が囲む包囲領域４１２内に収まるように形成されているが、封印シール４４を長手方向に延長させ、封印シール４４の一部（例えば、長手方向端部）が包囲領域４１２からはみ出すように形成することもできる。
封印シール４４をこのように形成したときには、長辺側壁部２２２の部品装着面４１ａ側の先端部に、シール押え部２２３を備えることが好ましい。
この場合のシール押え部２２３も、フランジ部２２４に設けたシール押え部２２３と同様に、封印シール４４の厚み分対向面２ａ側に後退させた凹形状とすることもできるが、フラットな面とすることもできる。
このようなシール押え部２２３を備えることにより、上ケース２の対向面２ｂに穿設させ、そこから棒材等を挿入してチップ部品４２を不正に脱抜させようとしても、封印シール４４が挟持されていることにより、チップ部品４２の脱抜が阻害され、チップ部品４２を保護することができる。
【００３９】
[部品脱抜部]
上ケース部材２は、図４，６に示すように，部品脱抜部２３を備えている。
部品脱抜部２３は、主制御基板４の上ケース部材２からの取り外しに基づいて、チップ部品４２を主制御基板４から脱抜させるように作用する。
例えば、部品脱抜部２３は、包囲壁部２２の内側に設けられ、上ケース２の対向面２ｂから垂下するとともにＢ−Ｂ方向に撓む弾性を有する支柱部２３０と、チップ部品４２とソケット４３との間に挿入される爪部２３１を備えている。
【００４０】
爪部２３１のチップ部品４２とソケット４３との間への挿入は、主制御基板４を上ケース部材２に収容することにより達成される。
具体的には、図７に示すように、部品装着面４１ａがネジ固定部２０や包囲壁部２２の先端部に当接するまで、主制御基板４を上ケース部材２に近づけると、チップ部品４２の短辺側が支柱部２３０を撓ませつつ二つの爪部２３１の間に押し入り、その後、爪部２３１がチップ部品４２とソケット４３との間に達し、支柱部２３０が復元することにより、爪部２３１がチップ部品４２とソケット４３との間に挿入されることになる。
これにより、主制御基板４の上ケース部材２への収容とともに、爪部２３１の挿入が達成される。さらに、ネジ２０ａをネジ孔４０に挿通させるとともに、これを下穴の穿設されたネジ固定部２０に螺入させて主制御基板４を上ケース部材２に取り付ける（固定させる）ことが好ましい。
そして、このような取り付け状態から、主制御基板４を上ケース部材２から取り外すことに基づいて、チップ部品４２がソケット４３から脱抜されることになる。
【００４１】
具体的には、主制御基板４を上ケース部材２から取り出すために、ネジ２０ａを外すとともに、主制御基板４と上ケース部材２とを引き離そうとすると、その引き離しはチップ部品４２とソケット４３との間に挿入された爪部２３１により阻害される。
そして、さらに引き離し力を強め、その力がソケット４３のチップ部品４２を保持する保持力を上回ると、チップ部品４２がソケット４３から脱抜することになる。これにより、主制御基板４と上ケース部材２とが引き離され、主制御基板４を上ケース部材２から取り出すことができる。
このときには、チップ部品４２のソケット４３からの脱抜に基づいて、チップ部品４２と部品装着面４１ａとに跨って貼付されていた封印シール４４の少なくとも一部が剥離又は破断されることから、主制御基板４が取り出された痕跡が残ることになる。
なお、引き離し力がチップ部品４２の短辺に均等に伝わるように、支柱部２３０と爪部２３１のＡ−Ａ方向に沿った長さは、チップ部品４２の短辺に対応する長さが好ましい。
さらに、爪部２３１のＡ−Ａ方向及びＢ−Ｂ方向に沿った長さは、チップ部品４２の端子部に接触しないような長さにすることが好ましい。
【００４２】
このように、主制御基板４の上ケース部材２からの取り外しに基づいて、チップ部品４２を主制御基板４から脱抜させるように作用する部品脱抜部２３は、支柱部２３０と爪部２３１を有する形態に限らず、様々な形態を有する部品脱抜部を設けることもできる。
例えば、支柱部２３０に代えて包囲壁部２２の短辺側壁部２２１を用い、チップ部品４２とソケット４３との間に向かって短辺側壁部２２１から爪部２３１を延出形成することもできる。
【００４３】
また、封印シール４４は少なくとも一部が剥離又は破断されるものの、チップ部品４２は単にソケット４３から脱抜されるだけであることから、破壊されることなく、そのまま再利用可能となる。
主制御基板４の上ケース部材２からの取り外しは、不正改造を目的とする場合のみならず、主制御基板４自体のメンテナンスや検査の目的もあることから、チップ部品４２を再利用可能とすることは、このような正当な目的のための取り外しに好適である。
なお、ソケット４３からの脱抜に際してチップ部品４２が受ける衝撃を緩和させるために、例えば、図７（ａ）に示すように、チップ部品４２と対向面２ｂとの間に無色透明な緩衝材２４（例えば、シリコーン、空気充填タイプの緩衝材など）を設けることが好ましい。
【００４４】
以上説明したように、本実施形態のスロットマシン１００は、主制御基板４の取り付けられる上ケース２が包囲壁部２２を備えることにより、チップ部品４２に対する不正なアクセスが阻害され、セキュリティが高められる。さらに、部品脱抜部２３を備えることにより、主制御基板４の上ケース２からの取り外しに基づいて、チップ部品４２が主制御基板４から再利用可能に脱抜されるとともに、これに伴って、封印シール４４の少なくとも一部が剥離又は破断された痕跡が残ることから、不正行為が抑制され、不正改造から主制御基板４を保護することができる。
【００４５】
一方、特許文献１記載の遊技機では、基板ケースの開封に伴い、チップ部品４２が破壊されることから、チップ部品４２を再利用することができなかった。
また、基板ケースの開封の痕跡を残すために、上ケース部材と下ケース部材とに跨って封印シールを貼付することが一般的に行われているが、剥離用の溶剤等を用いて痕跡を残すことなく封印シールを剥離させる行為に対しては、有効な対策がなかった。
【００４６】
本実施形態のスロットマシン１によれば、従来の遊技機が改善すべきこのような課題の全部又は一部などを解決することができる。
【００４７】
以上、本発明の遊技機の好ましい実施形態について説明したが、本発明に係る遊技機は上述した実施形態にのみ限定されるものではなく、本発明の範囲で種々の変更実施が可能であることはいうまでもない。
【００４８】
例えば、本実施形態では、包囲壁部２２や部品脱抜部２３を備える基板ユニットを、主制御基板４を収容する主基板ユニット１に適用したが、副制御基板５１を収容する副基板ユニット５や、その他の基板を収容する基板ユニットに適用することもできる。
【００４９】
また、本実施形態では、チップ部品４２を矩形状に囲むように包囲壁部２２を形成したが、チップ部品４２を円状やドーム状に囲むなどの任意な形状とすることもできる。
【００５０】
また、本実施形態では、シール押え部２２３を、包囲壁部２２の部品装着面４１ａ側の先端部を封印シール４４の厚み分対向面２ａ側に後退させた凹形状を有するように構成したが、部品装着面４１ａ側の先端部を後退させずにフラットな面として構成してもよい。
【００５１】
また、包囲壁部２２や部品脱抜部２３を上ケース部材２と一体に形成することもできるが、これらを別部品として、ネジ等により上ケース部材２に取り付ける（固着させる）こともできる。
【００５２】
また、本実施形態では、電子部品を部品装着面４１ａのみに装着したが、半田面４１ｂに装着することもできる。
【００５３】
また、本実施形態では、本発明をスロットマシンに適用したがパチンコ（例えば、玉スロ）などその他の遊技機に適用することもできる。
また、メダル、遊技球等の現物の遊技媒体を用いることなく、データ形式の擬似遊技媒体を用いてゲームを実行可能な、いわゆる封入式遊技機にも、本発明を適用することができる。
【符号の説明】
【００５４】
１  主基板ユニット
２  上ケース部材（第１ケース部材）
２２  包囲壁部２２
２２３  シール押え部
２２４  フランジ部
２３  部品脱抜部
３  下ケース部材（第２ケース部材）
４  主制御基板
４１  プリント基板
４１ａ  部品装着面（装着面）
４２  チップ部品（電子部品）
４２１  情報
４３  ソケット
４４  封印シール（シール部材）
４４１  透明領域
１００  スロットマシン
【図１】
0006712693.tif 000002
【図２】
0006712693.tif 000003
【図３】
0006712693.tif 000004
【図４】
0006712693.tif 000005
【図５】
0006712693.tif 000006
【図６】
0006712693.tif 000007
【図７】
0006712693.tif 000008
【図８】
0006712693.tif 000009